(57)【要約】【課題】地球の高温化が叫ばれて久しいが、我々庶民にとってあまり切実には感じられない。そこで、実感できることを提供するものである。【解決手段】１９１１〜２０１１  東京月別平均気温（気象庁調べ）のデーターを立体化、立体表示することによってより多くの人に実感してもらう。また、地球高温化を宣伝する際使用される『氷河が崩れゆく様』や『南の島が沈みゆく様』を臨場感あふれる映像や音声を提供する装置にて実感してもらう。【選択図】図２５
2014010727.tif 000002
【特許請求の範囲】
【請求項１】
コンピューターソフトウエアを用いて立体グラフを表示する方法において、空間座標軸が原点Ｏよりの半径がｒの水平な円とそれに接する半径ｒで、つるまき線のピッチがＰであるらせん軸Ｒと、らせんの中心の軌跡Ｏｔが原点Ｏを含む前記半径ｒの円の面と鉛直であることを特徴とし、らせん軸Ｒを時間軸Ｔとし、（１）時間軸Ｔ上の任意の点ｔｎにおいて、その時の観測値がｘｔｎであった場合、ｔｎ時のらせんの中心Ｏｔｎと点ｔｎを結んだ半直線（Ｏｔｎ・ｔｎ）上に観測値ｘｔｎを点Ｏｔｎからの水平距離としてとることにより得られる結果Ｋｔｎを出力とする立体グラフあるいは点Ｋｔｎを球体などの立体とした立体グラフ（２）前記（１）において、点Ｏｔｎと点Ｋｔｎを線分で結びこの線分（Ｏｔｎ・Ｋｔｎ）を出力とする立体グラフあるいはこの線分を円柱などの立体とした立体グラフ（３）前記（２）において点Ｋｔｎと点Ｋｔ（ｎ＋１）を線分で結び、線分｛Ｋｔｎ・Ｋｔ（ｎ＋１）｝を出力とする立体グラフあるいはその線分を円柱などの立体とした立体グラフ（４）前記（３）において、つるまき線の１周が１周期とし、ｔ（ｎ，ｍ）（ｎ，ｍは自然数）：ｎ周目ｍ番目の時  Ｏｔ（ｎ，ｍ）（ｎ，ｍは自然数）：ｔ（ｎ，ｍ）のらせんの中心  ｘｔ（ｎ，ｍ）（ｎ，ｍは自然数）：ｔ（ｎ，ｍ）の観測値  Ｋｔ（ｎ，ｍ）（ｎ，ｍは自然数）：ｔ（ｎ，ｍ）の結果と再設定し、点Ｋｔ（ｎ，ｍ）、点Ｋｔ（ｎ，ｍ＋１）、点Ｋｔ（ｎ＋１，ｍ）、点Ｋｔ（ｎ＋１，ｍ＋１）を求め、点Ｋｔ（ｎ，ｍ）と点Ｋｔ（ｎ，ｍ＋１）、点Ｋｔ（ｎ，ｍ）と点Ｋｔ（ｎ＋１，ｍ）、点Ｋｔ（ｎ，ｍ＋１）と点Ｋｔ（ｎ＋１，ｍ＋１）、点Ｋｔ（ｎ＋１，ｍ）と点Ｋｔ（ｎ＋１，ｍ＋１）をそれぞれ線分で結び、その線分を立体グラフの出力とする立体グラフあるいはその線分を円柱などの立体とした立体グラフ（５）前記（４）において、時間｛ｔｎ・ｔ（ｎ＋１）｝間において、その時間の平均観測値がｘ｛ｔｎ・ｔ（ｎ＋１）｝であった場合、半径を水平方向にｘ｛ｔｎ・ｔ（ｎ＋１）｝とし、∠｛ｔｎ・原点Ｏ・ｔ（ｎ＋１）｝の水平投影角度を中心角とし、中心が線分｛Ｏｔｎ・Ｏｔ（ｎ＋１）｝の中点である扇形に厚みａｔ（Ｐ≧ａｔ≧０の実数、Ｐはつるまき線のピッチ）を与えた形状の立体を立体グラフの出力とする立体グラフ  以上５種類の立体グラフを自動作図するコンピューターソフトウエアを用いた立体グラフを表示する方法
【請求項２】
前記請求項１において、空間座標の半径ｒを規則的に変化させることを特徴とするコンピューターソフトウエアを用いた立体グラフの表示方法
【請求項３】
前記請求項１において、空間座標のつるまき線のピッチＰを規則的に変化させることを特徴とするコンピューターソフトウエアを用いた立体グラフの表示方法
【請求項４】
前記請求項１において、らせんの中心の軌跡Ｏｔを規則的に変化させることを特徴とするコンピューターソフトウエアを用いた立体グラフの表示方法
【請求項５】
前記請求項２、前記請求項３、前記請求項４を２つあるいは３つ組み合わせることを特徴とするコンピューターソフトウエアを用いた立体グラフの表示方法
【請求項６】
前記請求項１、前記請求項２、前記請求項３、前記請求項４、前記請求項５において、空間座標のらせん軸Ｒを時間軸以外の指標軸として利用することを特徴とするコンピューターソフトウエアを用いた立体グラフの表示方法
【請求項７】
前記請求項１の発明あるいは手作業で１９１１〜２０１１  東京月別平均気温を立体グラフ表示し、ａｔ＝Ｐとし、台輪を取り付けたものを最高高さ１１２０ミリで３Ｄプリンタにて立体出力し、ＪＩＳ規格の範囲で点字の大きさを変化させた点字を取り付けることによって得られる触力検査器
【請求項８】
前記請求項７を二次元化することによって得られる触力検査表
【請求項９】
前記請求項７の発明を最高高さ１１２ミリで３Ｄプリンタを用い立体出力することによって得られる立体を自然材料、自然塗料で作成し、赤子の歯固めとして利用した製品
【請求項１０】
映像表示装置において、正面と側面２面と天井面の４面をディスプレイとしたことを特徴とする映像表示装置
【請求項１１】
映像と音声再生装置において、正面と側面２面と天井面の４面をディスプレイとしたことを特徴とする映像と音声再生装置
【請求項１２】
前記請求項１１の映像と音声再生装置に入力するための録画と録音装置
【請求項１３】
前記請求項１２において、レベルアジャスト機能を付加した録画と録音装置
【請求項１４】
前記請求項１１の発明の壁面をユニット式収納とする方法
【発明の詳細な説明】
【背景技術】
【０００１】
従来、立体グラフを描画するのに、空間内で互いに直交する３本の数直線Ｘ,Ｙ,Ｚ軸をもつ直交座標系が用いられてきたが、この空間座標軸を用いて地球高温化をあらわすグラフを描こうとすると非常に具合が悪いことに気付いた。まず、温度をＺ軸とするとして、時間を表すのにＸ軸、Ｙ軸をどう使うかが不明なのである。仮にＸ軸を月、Ｙ軸を年と仮定して作図しても時の連続性を表すことができない。
【先行技術文献】
【特許文献】
【０００２】
【特許文献１】特許公開平０７-１６８９４７
【特許文献２】特許公開２００７−１８８４５４
【特許文献３】特願２０１２‐２３９８３
【非特許文献】
【０００３】
【非特許文献１】ＪＩＳＴ０９２１  高齢者・障害者配慮設計指針  −点字の表示原則及び点字表示方法ー公共施設・設備
【非特許文献２】ＪＩＳＴ０９２３  高齢者・障害者配慮設計指針  −点字の表示原則及び点字表示方法ー消費生活製品の操作部
【非特許文献３】ＪＩＳＴ９２５３  紫外線硬化樹脂インキ点字  −品質及び試験方法
【発明の概要】
【発明が解決しようとする課題】
【０００４】
地球の高温化が叫ばれて久しいが、我々庶民にとってあまり切実には感じられない。冬はそれなりに寒いし、昨年はどうだったか忘れているからだ。グラフを見せられても指標が解りづらかったりして実感が湧かない。南極の氷河が崩れる様や、南の島が水没しかけている映像を見せられてもやっぱり人ごとと思ってしまう。
【０００５】
そこで、地球の高温化を切実に、また、時の連続性を表しながらより多くの人に実感できるような立体グラフをコンピューターソフトウエアを利用し省力化と短時間で表示させる方法と、臨場感あふれる映像および音声を提供する装置を提供する。
【課題を解決するための手段】
【０００６】
まず、背景技術の欄で記載した例は図‐１‐１である。
地球が平たいと考えられていた時代ように、時間が平たく表現してある。
その頃、地球の果てがあったように、時間にも果てが存在している。
そこで、図‐１‐２のようにＺ軸方向に立てて、図‐２‐１のように丸くしてみた。
時間の果てはなくなったが、まだおかしい。年と年のつながりがないのである。
そこで、連続させてみたものが図‐２‐２である。
これで、時の連続性は表現できる。
【０００７】
地球は、自転、公転をおこなって時を表現している。また、宇宙は膨張しているという知見から、宇宙の中心から見ると、自転、公転はらせんを描いているとみていいだろう。また、身近な例では植物の葉の付き方、枝の出方、つるの巻き方などいたるところにらせんが見られる。これも時とともに変化している。つまり、時はらせん構造をもつのではないかと考えた。
【０００８】
そこで考案したのが図‐３に示す空間座標軸である。空間座標において、原点Ｏよりの半径がｒの水平な円とそれに接する半径ｒで、つるまき線のピッチがＰであるらせん軸Ｒと、らせんの中心の軌跡Ｏｔが原点Ｏを含む半径ｒの円の面と鉛直であることを特徴とする空間座標１である。
【０００９】
なお、らせんの軸を時間以外の指標にも使えるのではないかと思い、ここではらせん軸Ｒとした。
【００１０】
また、らせんの廻り方は時計廻り、反時計廻りでもどちらでもよいのであるが、私は北半球に居住しているので、北極を上部とみて、地球の自転、公転の向きと同じ反時計廻りを採用した。
【００１１】
また、らせんの中心の軌跡Ｏｔは、上向きを正とした。
【００１２】
次に考案したのが、空間座標１のらせんの軸の半径ｒを一定の規則で変化させることを特徴とする空間座標２である。
その例を図-４、図-５に示す。
【００１３】
次に、空間座標１のらせんのつるまき線のピッチＰを規則性をもって変化させる空間座標３である。
図‐６に示す。
【００１４】
最後は、空間座標１のらせんの中心の軌跡Ｏｔを規則性をもって変化させることを特徴とする空間座標４である。その例を図-７に示す。
【００１５】
空間座標１〜４共、現状の把握と将来の予測に使用する。
地球高温化を例にとれば、現在このような形の気温の増え方をしているので、対策をしなければ何年後はこのような形で気温が上昇するであろう。
何年後にはこうなるという予想である。
ただし、数学的にどのようにして予想すればいいのかを合理的に説明することは小生には不可能である。
そこで、いろいろな傾き、曲率でこのかたちを透明なフィルムに描き、観客が立体出力した模型にあてがったり、透かして見たりして、将来を予測してもらうことにする。
また、視覚障がい者の方々のために図-４、図-５、図‐６、図‐７を立体出力してもよいだろう。
そうすれば、この立体がどんどんあたまでっかちとなったり、傾斜がすすみいつ倒れてもおかしくないということが実感できる。
【００１６】
空間座標２〜４は２つあるいは３つ組み合わせて使うことができる。
【００１７】
さて、ここからは地球高温化をあらわす立体グラフの作図方法を説明する。
地球高温化を表す立体グラフの空間座標に最もふさわしいと思われるのは空間座標１であると思った。（図-３、図‐５‐３、図５-４参照）
つまり、一定の温度で推移するのがベストであるとしたためだ。
そこで、この空間座標１を用いてらせん軸Ｒを時間軸Ｔとして立体グラフの作図方法に移る。
【００１８】
立体グラフ１の概念図は図-８である。時間軸Ｔ上の任意の点ｔｎにおいて、その時の観測値がｘｔｎであった場合、ｔｎ時のらせんの中心Ｏｔｎとｔｎを結んだ半直線（Ｏｔｎ・ｔｎ）上に観測値ｘｔｎをＯｔｎからの距離としてとることにより得られる結果Ｋｔｎを出力とする立体グラフである。同様にして、Ｋｔ（ｎ＋１）、Ｋｔ（ｎ＋２）、Ｋｔ（ｎ＋３）・・・と点を求めてゆくことで立体グラフ化するものである。デザイン上、上記で得られた点Ｋｔｎを球体などとして出力したほうがよりわかりやすいかもしれない。
【００１９】
立体グラフ２は、前記立体グラフ１で、点Ｏｔｎと点Ｋｔｎを線分で結びこの線分（Ｏｔｎ・Ｋｔｎ）を出力とする立体グラフの作図方法である。この線分（Ｏｔｎ・Ｋｔｎ）もデザイン上、円柱などとして出力したほうがわかりやすいかもしれない。
【００２０】
立体グラフ３の概念図は図-９である。前記立体グラフ２において、ＫｔｎとＫｔ（ｎ＋１）を線分で結ぶとワイヤーフレームができる。このワイヤーフレームをグラフの出力とする立体グラフの作図方法である。これもデザイン上、線分を円柱などの立体としたほうが見やすいかもしれない。
【００２１】
立体グラフ３で１９１１〜２０１１  東京月別平均気温を作図するのは少し無理があると思い断念した。
グラフ同志が重なって見づらいのである。
【００２２】
立体グラフ４の概念図は図-１０である。前記立体グラフ３において、上層の点と結んで、ワイヤフレームをつくることをグラフの出力とする立体グラフの作図方法である。
【００２３】
この方法で１９１１〜２０１１  東京月別平均気温を作図してみたのが図‐２２である。
結構おもしろい立体グラフであるが、彩色などができないなど弱点がある。
【００２４】
そこで次に考案したのが立体グラフ５である。
立体グラフ５の概念図を図-１１、図-１２に示す。
これを用いて作図したのが図‐２３、図‐２４である。
【００２５】
これだと彩色はできるし、なかなか実感が湧いてきた。ただし、立体出力した場合自立しないのである。そこで、この発明において、扇形に与える厚みａｔ＝Ｐとし台輪を取り付けることによって解決した。この作品が図‐２５、図‐２６である。
【００２６】
請求項１の発明は、空間座標１を使って立体グラフ１から５までをコンピューターソフトウエアを用いて自動作図する方法である。
フローチャートを図‐１７、図‐１８、図‐１９に示す。
また、入力データー表を図‐２０に示す。
【００２７】
請求項２の発明は、空間座標２を使って立体グラフ１から５をコンピューターソフトウエアを用いて表示する方法である。
【００２８】
請求項３の発明は、空間座標３を使って立体グラフ１から５をコンピューターソフトウエアを用いて表示する方法である。
【００２９】
請求項４の発明は、空間座標４を使って立体グラフ１から５をコンピュータソフトウエアを用いて表示する方法である。
【００３０】
請求項５の発明は、空間座標２、空間座標３、空間座標４を２つあるいは３つ組み合わせ立体グラフ１から５をコンピューターソフトウエアを用いて表示する方法である。
【００３１】
請求項６は、らせんの軸Ｒを時間軸Ｔ以外の指標軸として使えるので記述した。
例をあげると、音楽の平均律があげられる。  
周波数をらせんの中心の軌跡Ｏｔ方向にとると、図‐２１のようになる。
平均律の各音は図‐６‐１のような形をしているのだ。
【００３２】
つぎに、『より多くの人に理解してもらう。』ことが課題なので、ユニバーサルデザインの観点で考えてみた。
【００３３】
まず、色覚障がい者の方への配慮であるが、図‐２７のように彩色を考えてみた。
【００３４】
つぎに、視覚障がい者の方への配慮設計である。
まずは全体像を把握してもらう必要があるので、最高高さ１１２ミリの立体出力が必要であろう。
手のひらや指で触ってもらって触覚で感じてもらうのである。
なお、この立体出力は後述するが、他の目的にも使える。
【００３５】
つぎに本体の立体出力であるが、点字を図‐２８に示す位置に取り付けたいので最高高さ１１２０ミリ程度の縮尺での立体出力が必要であろう。また、晴眼者が視覚で感じる色を障がい者の方にも感じていただきたいので、図‐２８のように凹凸模様をつけることを考えた。
【００３６】
請求項７の発明であるが、小生がこの本体の立体出力に点字を取り付ける必要から、ＪＩＳ規格を調べたのであるが、ＪＩＳ規格に示される点字の大きさの範囲は図-２９に示すように非常に範囲が広い。
高齢で失明された方は点字の習得が非常に困難であることが紹介されていた。
また、大人と子供では指の大きさが違うので、適度な点字の大きさは変わるのではないかと考えた。
そこで、図-３０のようにＪＩＳ規格の範囲で点字の大きさを変えた点字をこの発明品に取り付けることによって触力検査器としての機能が付加されるのではないかと考えた。
【００３７】
請求項８の発明は、請求項７の発明が別に３次元でなくとも２次元であれば簡便に同じ効果が得られるとの発想より、図-３１〜図-３６のように触力検査表を作ってみた。なお、この触力検査表の難易度は図‐３７のようになると予想する。
【００３８】
請求項９の発明は、先程、視覚障がい者の方が全体像を把握するための最高高さ１１２ミリの立体出力を別の用途として利用するものである。
この立体は、赤子が誤飲しない適度な大きさと歯固めとして利用するための凹凸を持っている。
自然材料、自然塗料を用いることによって赤子の歯固めとして利用できるのだ。
【００３９】
請求項１０の発明は、いままでは外部よりの視覚や触覚での感知であったが、その中に入り込んで体感してもらうための装置である。
図‐３８、図‐３９、図‐４０、図‐４１に示す。なお、この装置は映像の表示と視覚障害者のための音あるいは音声表示が行える。
【００４０】
請求項１１の発明は、前記請求項１０の発明あるいは単独で臨場感あるれる映像と音声を再生させる装置である。図‐４２、図‐４３に示す。なお、この発明の着想は前記請求項１０の発明の形状が絵画の遠近法に似ていたからだ。
【００４１】
請求項１２の発明は、前記請求項１１の発明に映像と音声を入力するための、映像撮影と音声録音装置である。図‐４４、図‐４５に示す。
【００４２】
また、請求項１２と請求項１３の発明のブロック図を図‐４６、図‐４７、図‐４８に示す。
【００４３】
請求項１３の発明は、前記請求項１２の発明において、レベルアジャスト機能を付加したものである。図‐４９に示す３点ねじ式のレベルアジャストと図‐４５に示す気泡管の組み合わせによりレベルアジャストする。
【００４４】
請求項１４の発明は、請求項１１の発明を家屋他に持ち込んだ場合、デッドスペースを生じることとなる。そのデッドスペースをユニット式収納とすることによってこの欠点を補うものである。
【発明の効果】
【００４５】
空間座標１によれば、従来の空間座標とは異なった形態の立体グラフができる。この特許願でらせんの軸Ｒが時間軸Ｔとしての利用ができることが証明されている。また、音楽の平均律は、らせんの中心の軌跡Ｏｔ方向に周波数をとると、各音は図-６-１のような形になることを発見した。つまり、別の指標軸として使えるのである。また、らせんの軸Ｒを時間軸Ｔとして使用した場合、従来表現できなかった、時の連続性が表現できる。
【００４６】
空間座標２、空間座標３、空間座標４によれば、図-４、図-５、図-６、図‐７に示した図形を透明なフィルムにそれぞれ様々な寸法や曲率で描き、観覧者にそのフィルムを立体出力した作品にあてがったり、透かしてみたりすることにより現状の把握、将来の予測をしてもらう。はなはだ非科学的なことかもしれないが、観覧者の啓蒙には役立つだろう。また、視覚障がい者のために立体出力してさわったり、実際にのせてもらってもよいだろう。
【００４７】
立体グラフ１、立体グラフ２によれば、あたかも２次元の分布図のように立体グラフが作図できる。
【００４８】
立体グラフ３、立体グラフ４によれば、あたかも２次元の折線グラフのように立体グラフが作図できる。
【００４９】
立体グラフ５によれば、あたかも２次元の棒グラフのように立体グラフが作図できる。
【００５０】
請求項１の発明によれば、立体グラフ１から５を描くのに手作業では３週間位かかる作業をコンピューターソフトウエアを用いて自動作図させると短時間で行える。また、間違いも少ないと思われる。
【００５１】
請求項２の発明によれば、時間とともに変化するのが当然であるものの指標の立体グラフの表示に使用される。
【００５２】
請求項３の発明によれば、ある指標が到達するのに時間のかかり方が変化するような指標の立体グラフの表示に使用される。
【００５３】
請求項４の発明は、時間とともに指標がある一定の規則で変化していくような指標の立体グラフの表示に使用される。
【００５４】
請求項５の発明によれば、請求項２、請求項３、請求項４の発明を２つあるいは３つ組み合わせて使用できる。
【００５５】
請求項６の発明によれば、前記請求項１、前記請求項２、前記請求項３、前記請求項４、前記請求項５の発明でらせんの軸Ｒを時間軸Ｔ以外の指標軸として立体グラフが表示される。
【００５６】
請求項７の発明によれば、地球高温化の立体グラフを立体出力した物に、晴眼者の視力検査表のような機能が付加される。
【００５７】
請求項８の発明によれば、請求項７の発明の効果をより簡便に行える。
【００５８】
請求項９の発明によれば、地球高温化の最高高さ１１２ミリの立体出力が、赤子の歯固めとして利用できる。副次的にこの玩具を赤子に与えた親は、『この子のために』と省エネに取組むであろうし、赤子が長じてこの玩具の意味を理解できるようになれば、環境問題に関心をもってくれるであろう。
【００５９】
請求項１０の発明によれば、立体グラフが瞬時に映像表示される。このことにより、例えば別の都市の気象を瞬時に表示することによって比較検討が容易に行える。
【００６０】
請求項１１、請求項１２の発明によれば、請求項１２の発明によって録画、録音された映像、音声を請求項１１の発明により再生することによって従来になかった臨場感が表現できる。『氷河が崩れるさま』や『南の島が沈みゆくさま』を臨場感あふれる映像、音声で実感できるのである。
また、コンサートなどではどうしてもいい席とわるい席がある。条件のよい席で請求項１２の発明による装置で録画、録音を行い、記憶媒体に複写し、販売すればオーディエンスの家に請求項１１の発明のホームシアターが設置してあればこの不満はなくなる。
カラオケ店などに請求項１１の発明を設置すれば、ホームシアターの機能とともに、撮影方法を工夫すればお気に入りの歌手とのディュエットや、グループに紛れ込んでの歌唱が可能になる。
【００６１】
請求項１３の発明は、請求項１２の発明でレベルアジャスト機能を付加したものである。従来の映像は、撮影装置にレベルアジャストがなかったおかげで、水平感、垂直感が得られなかった。そこを改善するものである。
【００６２】
請求項１４の発明によれば、請求項１１の発明を家屋他に持ち込んだ場合、デッドスペースが生じることとなる。このデッドスペースを収納やニッチとして利用することにより、この欠点を補える。
【図面の簡単な説明】
【００６３】
【図１】直交座標系から空間座標１までの過程
【図２】直交座標系から空間座標１までの過程
【図３】空間座標１
【図４】空間座標２  空間座標１の半径ｒを規則性をもって変化させる例（全て透視図）
【図５】空間座標２  空間座標１の半径ｒを規則性をもって変化させる例（全て透視図）
【図６】空間座標３  空間座標１のつるまき線のピッチＰを規則性をもって変化させる例（全て透視図）
【図７】空間座標４  空間座標１のらせんの中心の軌跡Ｏｔを規則性をもって変化させる例（全て透視図）
【図８】立体グラフ１、立体グラフ２の概念図
【図９】立体グラフ３の概念図
【図１０】立体グラフ４の概念図
【図１１】立体グラフ５の概念図
【図１２】図‐１１  Ａ部拡大図
【図１３】実施の形態説明図
【図１４】実施の形態説明図
【図１５】図‐１４‐２のグラフでａｔ＝Ｐとしたもの
【図１６】図‐１５に台輪を取り付けたもの
【図１７】請求項１〜６のフローチャート
【図１８】請求項１〜６のフローチャート
【図１９】請求項１〜６のフローチャート
【図２０】入力データー表
【図２１】平均律の各音と周波数の関係
【図２２】１９１１〜２０１１  東京月別平均気温（気象庁調べ）（立体グラフ４の作図方法による透視図）
【図２３】１９１１〜２０１１  東京月別平均気温（気象庁調べ）（立体グラフ５の作図方法による透視図）冬季側より見る
【図２４】１９１１〜２０１１  東京月別平均気温（気象庁調べ）（立体グラフ５の作図方法による透視図）夏季側より見る
【図２５】ａｔ＝Ｐとし、下部に台輪を取り付けたもの  冬季側より見る
【図２６】ａｔ＝Ｐとし、下部に台輪を取り付けたもの  夏季側より見る
【図２７】彩色の規則
【図２８】表面に凹凸模様をつけて触覚にて色に対応するものを感じていただく方法
【図２９】ＪＩＳ規格に規定される点字の大きさ
【図３０】点字の大きさをＪＩＳ規格の範囲内で変化させる方法
【図３１】触力検査表  ５級
【図３２】触力検査表  ４級
【図３３】触力検査表  ３級
【図３４】触力検査表  ２級
【図３５】触力検査表  １級
【図３６】触力検査表  特級
【図３７】触力検査表の難易度の予想
【図３８】請求項１０  ４面ディスプレイ映像表示装置と音声あるいは音案内装置
【図３９】図‐３８に人物を配した図
【図４０】図‐３９を側面より見た図（寸法入り）
【図４１】４面ディスプレイ表示装置および音声あるいは音案内装置  （ブロック図）
【図４２】請求項１１  ４面をディスプレイとした映像と音声再生装置
【図４３】４面をディスプレイとした映像再生装置の見え方
【図４４】請求項１２  請求項１１に入力するための録画・録音装置
【図４５】請求項１２  請求項１１に入力するための録画・録音装置（操作側より見る）
【図４６】請求項１１、請求項１２のブロック図
【図４７】請求項１１、請求項１２のブロック図
【図４８】請求項１１、請求項１２のブロック図
【図４９】請求項１３  録画・録音装置のレベルアジャスト装置
【図５０】請求項１４  請求項１１の装置の廻りの壁面を収納とした例
【図５１】１９１１〜２０１１  東京１月平均気温
【図５２】１９１１〜２０１１  東京２月平均気温
【図５３】１９１１〜２０１１  東京３月平均気温
【図５４】１９１１〜２０１１  東京４月平均気温
【図５５】１９１１〜２０１１  東京５月平均気温
【図５６】１９１１〜２０１１  東京６月平均気温
【図５７】１９１１〜２０１１  東京７月平均気温
【図５８】１９１１〜２０１１  東京８月平均気温
【図５９】１９１１〜２０１１  東京９月平均気温
【図６０】１９１１〜２０１１  東京１０月平均気温
【図６１】１９１１〜２０１１  東京１１月平均気温
【図６２】１９１１〜２０１１  東京１２月平均気温
【発明を実施するための形態】
【００６４】
請求項１〜９の発明に必要な構成は、パーソナルコンピューターと、３ＤＣＡＤのソフトウエアと、３Ｄプリンタと、３Ｄプリンタの出力素材と、塗料と、ＪＩＳＴ９２５３で規格される紫外線硬化樹脂インキ点字と、接着剤と、各地の月別平均気温の気象データーと自動作図するコンピューターソフトウエアである。なお、時間がかかってもよいのであれば自動作図するコンピューターソフトウエアは必要ない。手作業で行えるからだ。気象のデーターは気象庁のホームページより得た。
【００６５】
ます、空間座標１の作成方法を図-３を使って述べる。
【００６６】
原点Ｏを中心にして、半径ｒの円を水平に描く。
【００６７】
この円を中心角３０°の扇形に１２等分する。
【００６８】
円周上の分割点それぞれに所定の高さを与えて、３ＤＣＡＤの円弧ツールを使ってらせんを描く。
所定の高さとは、らせんの始点を原点Ｏと同じ高さの点と考えて、次の点にＰ／１２の高さを、次々点に２Ｐ／１２、次々点の次の点に３Ｐ／１２と順次Ｐ／１２を加算したものを高さとして与える。１周でＰとなるようにする。
【００６９】
つぎに、原点Ｏより円の面に鉛直線を引くことにより、らせんの中心の軌跡Ｏｔがもとめられる。
【００７０】
なお、円の分割を１２等分としたが、６以上の３で割り切れる自然数であればなんでもよい。
３でいけないのは何故かというと、私が使用した３ＤＣＡＤでは分割数３として円弧ツールを使用した場合、円として認識してしまい、らせんを描けないからだ。
【００７１】
空間座標２の説明を図‐４、図‐５を用いて例示する。
【００７２】
図-４、図‐５のうち、右側の図、図‐４-２、図‐４‐４、図‐４‐６、図‐５‐２、図‐５‐４、図‐５‐６は、空間座標１において、規則的にらせんの半径ｒを変化させたものである。それを、２次元のグラフに表すと、それぞれ図‐４-１、図-４-３、図-４-５、図-５-１、図-５-３、図-５-５のようになる。
つまり、２次元のグラフのＡ軸をあわせ、Ａ軸廻りに着色部分の図形を回転させた形に沿ったらせんとなる。今回の地球高温化は、できるならば気温が一定であるのが望ましいので、図-５-４の空間座標を用いた。
【００７３】
図-５-４の座標を使用して描くと、地球高温化の様子が、例えば図-４-２のような形になったとしよう。
とすれば、その気温は２次元のグラフで表すと、図-４-１のように直線的な増加傾向があると判断できるのである。
つまり、作図した立体グラフの形状で２次元のグラフの形が判断できるのである。
【００７４】
空間座標３の説明を図‐６をもちいて例示する。
【００７５】
図‐６‐１はつるまき線のピッチＰを下から１：２：４の割合で変化させてある。
【００７６】
図‐６‐２はつるまき線のピッチＰを下から４：２：１の割合で変化させてある。
【００７７】
図‐６‐３はつるまき線のピッチＰを下から４：２：１：１：２：４の割合で変化させてある。
【００７８】
図‐６‐４はつるまき線のピッチＰを下から１：２：４：４：２：１の割合で変化させてある。
【００７９】
図‐６‐５はつるまき線のピッチＰを下から１：２：４：１：２：４の割合で変化させてある。
【００８０】
図‐６‐６はつるまき線のピッチＰを下から４：２：１：４：２：１の割合で変化させてある。
【００８１】
ここで１：２：４の数字としたのはあくまで例示であって、どんな割合でもよいのである。また、組み合わせもどのようにでもできる。
【００８２】
では、どのようなことに使用されるのかと問われたら、音楽に使用されている平均律があげられる。らせんの中心の軌跡Ｏｔ方向を周波数軸すると、平均律の各音は図‐２１のようになる。つまり、図-６-１のように形になる。
また、地球高温化に話を戻すと、太陽の活動は２２年周期で活発、不活発を繰り返すそうだ。
そこで、２２年周期のらせんを立体出力した形に描くことで、地球高温化と太陽の活発、不活発との関係の有意性が判断できるのである。
【００８３】
空間座標４を図-７を用いて説明する。
【００８４】
図-７-１は空間座標１のらせんの中心の軌跡Ｏｔの形状である。
【００８５】
図-７-２は、図-７-１の直線を傾斜させた例である。
【００８６】
図-７-３は、規則性をもった曲線とすることである。規則性とはサインカーブ、放物線、２次曲線、円周・・・等なんでもよいのである。
【００８７】
図-７-４は、規則性をもった曲線をらせんとした例である。
【００８８】
何に使用できるのかを地球高温化の例をとると、立体の各年ごとの図芯をもとめ、線分で結ぶことによって、本来鉛直線になるべきであるのに、その線分が図-７-３のように現状把握できたとする。この状態がつづけば、どんどん重心がずれることによって回転モーメントが生じることがわかるであろう。
【００８９】
空間座標２、空間座標３、空間座標４は２つあるいは３つ組み合わせることができる。
このことによって、複雑な現象をより解りやすく表現できるのではないかと思う。
【００９０】
空間座標２、空間座標３、空間座標４あるいは２つ、３つの組み合わせを数学的に説明することは小生には非常に困難を伴う。
また、この立体グラフを立体出力した作品を観る人にもそんな難しい説明は不要であると考えた。
そこで、空間座標２、空間座標３、空間座標４あるいは２つ、３つの組み合わせの様々な形状を様々な曲率や傾きで透明のフィルムに描きそれを立体出力にあてがったり、透かしてみたりして、観覧者に将来どうなるのかを予想してもらうことを考案した。
視覚障がい者の方のために、様々な形を立体出力してさわってもらったり、実際に立体出力の上部にのせてもらってもよい。
例えば、図-４-１、図-４-２のように直線的に増加（気温が高くなる）であれば、当然観覧者の想像する立体出力の延長部分はどんどん頭でっかちとなり、重心が高くなって不安定になることを想像するだろう。
また、図-７-３のように曲がってくると想像したなら、回転モーメントが生じ、限界となれば転倒することが想像できるであろう。
とすれば、実感をもってもらえるのである。
【００９１】
次に立体グラフ１の説明を図-８を用いて説明する。
【００９２】
図-８は空間座標１において、らせんの軸Ｒを時間軸Ｔとして使用した例である。
【００９３】
時間軸Ｔ上の点ｔｎ（ｎは自然数）において、ｔｎ時の観測値がｘｔｎであったとする。
【００９４】
まず、ｔｎから原点Ｏ方向に向かって水平線を引き、ｔｎ時のらせんの中心Ｏｔｎを求める。
【００９５】
つぎに、半直線（Ｏｔｎ・ｔｎ）上に距離ｘｔｎをとり、点Ｋｔｎをもとめる。
【００９６】
ｔ（ｎ＋１）、ｔ（ｎ＋２）、ｔ（ｎ＋３）・・・も同様にして点Ｋｔ（ｎ＋１）、点Ｋｔ（ｎ＋２）、点Ｋｔ（ｎ＋３）・・・がもとまる。
【００９７】
点Ｋｔｎ、点Ｋｔ（ｎ＋１）、点Ｋｔ（ｎ＋２）、点Ｋｔ（ｎ＋３）・・・を球体など適当な立体にして、グラフの出力とする。
【００９８】
立体グラフ２を図-８を用いて説明する。
【００９９】
点Ｋｔｎ、点Ｋｔ（ｎ＋１）、点Ｋｔ（ｎ＋２）、点Ｋｔ（ｎ＋３）・・・をもとめるのは前記立体グラフ１と同じである。
【０１００】
つぎに、点Ｏｔｎと点Ｋｔｎ、点Ｏｔ（ｎ＋１）と点Ｋｔ（ｎ＋１）、点Ｏｔ（ｎ＋２）と点Ｋｔ（ｎ＋２）、点Ｏｔ（ｎ＋３）と点Ｋｔ（ｎ＋３）、・・・を線分で結んでその線分あるいは強調するため円柱などの立体にしたものをグラフの出力とする立体グラフの作図方法である。
【０１０１】
立体グラフ３を図-９を用いて説明する。
【０１０２】
点Ｋｔｎ、点Ｋｔ（ｎ＋１）、点Ｋｔ（ｎ＋２）・・・を求めるのは前記立体グラフ１、前記立体グラフ２と同様である。
【０１０３】
つぎに、点Ｋｔｎと点Ｋｔ（ｎ＋１）、点Ｋｔ（ｎ＋１）と点Ｋｔ（ｎ＋２）、・・・をそれぞれ線分で結ぶと、ワイヤーフレームが作成される。これをグラフの出力とする立体グラフの作図方法である。
出力される線分を立体とするとより実感がますであろう。
【０１０４】
いままで考案した立体グラフ作図方法は、今回の課題に使用するのは適当ではないと判断した。そこで、立体グラフ４を考案した。
【０１０５】
立体グラフ４を図-１０を用いて説明する。
【０１０６】
まず、今までの説明の記載では発明を簡潔に述べるため、つるまき線が１周として記述してあるが実施にあたっては多層化する必要がある。
【０１０７】
そこで、符合の再設定が必要である。
【０１０８】
ｔ（ｎ，ｍ）  （ｎ、ｍは自然数）：ｎ周目ｍ番目の時
Ｏｔ（ｎ，ｍ)  (ｎ、ｍは自然数）：ｔ（ｎ,ｍ）のらせんの中心
ｘｔ（ｎ，ｍ)  (ｎ、ｍは自然数）：ｔ（ｎ，ｍ）の観測値
Ｋｔ（ｎ，ｍ）（ｎ，ｍは自然数）：ｔ（ｎ，ｍ）の結果
と再設定を行う。
【０１０９】
いままで説明してきた立体グラフ１〜３のやり方と同様にして、点Ｋｔ（ｎ，ｍ）、点Ｋｔ（ｎ，ｍ＋１）、点Ｋｔ（ｎ＋１，ｍ）、点Ｋｔ（ｎ＋１，ｍ＋１）が求められる。
そこで、点Ｋｔ（ｎ，ｍ）と点Ｋｔ（ｎ，ｍ＋１）、点Ｋｔ（ｎ，ｍ）と点Ｋｔ（ｎ＋１，ｍ）、点Ｋｔ（ｎ，ｍ＋１）と点Ｋｔ（ｎ＋１，ｍ＋１）、点Ｋｔ（ｎ＋１，ｍ）と点Ｋｔ（ｎ＋１,ｍ＋１）をそれぞれ線分で結ぶとワイヤーフレームが得られる。
このワイヤーフレームをグラフの出力とする立体グラフの作図方法である。
なお、線分を強調した立体とするとより実感を増すであろう。
【０１１０】
この作図方法を用いて１９１１〜２０１１  東京月別平均気温を作図すると図-２２となる。
【０１１１】
立体折線グラフのようなものである。今一つ実感が湧かない。また、彩色などができないなどもうひとつである。
また、点Ｋｔ（ｎ,ｍ）と点Ｋｔ（ｎ，ｍ＋１）と点Ｋｔ（ｎ＋１,ｍ）と点Ｋｔ（ｎ＋１,ｍ＋１）は同一平面にない場合がほとんどなので、面とするには山折、谷折のいづれかを指定しなければ面とならない。同じものを表現するのに２通りあるのはどうにも解せない。
そこで、立体棒グラフのような物はできないかと考えた。
【０１１２】
立体グラフ５の発明を図-１１、図-１２を用いて説明する。
【０１１３】
時間軸上の点ｔｎと点ｔ（ｎ＋１）を考え、時間｛ｔｎ・ｔ（ｎ＋１）｝とする。時間｛ｔｎ・ｔ（ｎ＋１）｝の平均観測値がｘ｛ｔｎ・ｔ（ｎ＋１）｝であった場合の作図方法である。
【０１１４】
まず、曲線分｛ｔｎ・ｔ（ｎ＋１）｝の中点を求める。これには３ＤＣＡＤの中点ツールあるいは分割ツールを使用する。
【０１１５】
つぎに、線分｛Ｏｔｎ・Ｏｔ（ｎ＋１）｝の中点を求める。これにも様々なやり方があるが、いままで行ってきたように先程求めた曲線分｛ｔｎ・ｔ（ｎ＋１）｝の中点よりＯｔに向かって水平線を出して求める。
【０１１６】
次に線分｛Ｏｔｎ・Ｏｔ（ｎ＋１）｝の中点を中心にして、半径がｘ｛ｔｎ・ｔ（ｎ＋１）｝の円を水平を描く。
【０１１７】
ｔｎより鉛直線をだし、先程求めた円の面で鉛直線と交差する点Ａ１を求める。
【０１１８】
つぎに、先程求めた線分｛Ｏｔｎ・Ｏｔ(ｎ＋１）｝の中点とＡ１を結び、その延長線と半径がｘ｛ｔｎ・ｔ（ｎ＋１）｝の円と交わる点Ａ２を求め線分を引く。
【０１１９】
つぎにｔ（ｎ＋１）でも同様にしてそれぞれＢ１、Ｂ２が求められる。
【０１２０】
先程もとめた半径がｘ｛ｔｎ・ｔ（ｎ＋１）｝の円のうち中心角がαでないほうの円弧を消去する。
【０１２１】
なお、ここで特記するが、ｔｎ、Ａ１、Ａ２の三点を含む面をＡ面、ｔ（ｎ＋１）、Ｂ１、Ｂ２の三点を含む面をＢ面とすると、それぞれの面の任意の点を点Ａ、点Ｂとし、Ｏｔ軸上の任意の点を点Ｏとすると、｛∠（点Ａ・点Ｏｔ・点Ｂ）の水平投影角度｝＝αとなる。（ただし、点Ａ、点ＢはＯｔ軸上にないものとする。）
【０１２２】
これによって得られた扇形に厚みａｔを与える。この立体がグラフの出力とする立体グラフの作図方法である。
【０１２３】
なんだか非常にむつかしいように感じられるかもしれないが、後述するが、実務ではもっと簡単になる。
【０１２４】
月別平均気温を立体グラフ４あるいは立体グラフ５の作図方法で実施しようと思った小生は、まず、図-１３-１のように座標軸を考えた。
【０１２５】
まず、３ＤＣＡＤ上で原点Ｏをさだめ、半径ｒ１=１０メートル、半径ｒ２=２０メートル、半径ｒ３=３０メートルの同心円を描く。
なお、ここでの縮尺は後程どうでも変えられるので、仮の寸法である。
【０１２６】
それを１年は１２ヶ月であるから、円を中心角３０°の扇形に１２等分割する。
【０１２７】
分割線を含む円に鉛直な面を作成する。
【０１２８】
中心Ｏからの水平距離で目盛を作成する。
【０１２９】
なお、マイナス値は入力できないので、もしマイナス値がある場合は、原点の値をその値より小さい数値をして考える。極端に言えば、原点を絶対零度としてもよいのである。
【０１３０】
次に、時間軸であるが、つるまき線の１周を１年とする。よって、１月を始点とし、２月、３月と１カ月ごとにＰ/１２の高さを加算し下部に与える。ここではＰ＝１２ｍとして作図した。
【０１３１】
これによって、空間座標１の空間座標軸が図‐１３‐１のようになる。
【０１３２】
つぎに、この座標に気象庁調べの月別平均気温をプロットしてゆく。
【０１３３】
プロットされた点を線分で結ぶと図‐１３‐２,図‐１４‐１のような立体折線グラフが得られる。
これが、立体グラフ４である。
【０１３４】
この作業を繰り返し行うのである。現在は気の遠くなるような作業であるが、繰り返し作業なので、ソフトウエアの開発により、日ならずして表計算ソフトに付属されるグラフ機能のように簡単になるのではなかろうかと思った。これが請求項１の発明である。
【０１３５】
１０１年分のデーターを入力したのが、図‐２２である。
【０１３６】
図‐ ２２を得たが、彩色ができないなど弱点があるため、立体棒グラフのような物ができないかと思った。
【０１３７】
そこで、半径を中心からの水平距離とし、中心角を３０°、中心をＯｔ上の先程得たプロット点と同高の点とする扇形とすることを考案した。なお、このグラフを一般化すると図- １１、図-１２ のようになる。
【０１３８】
ここで、さらりと中心角３０°の扇形としたが、実際は３ＤＣＡＤの中点ツールあるいは分割ツールを使用すれば、楽にその角度を求められる。
【０１３９】
立体にするため、厚みａｔを与えるとよりリアルに見える。
【０１４０】
立体グラフ４と立体グラフ５のグラフの関係を示すと図-１４-２のようになる。
【０１４１】
あとは、１０１年分のデーターを入力すると、図‐２３、図-２４を得た。
【０１４２】
請求項１の発明を図‐１７、図‐１８、図‐１９を用いて説明する。
図‐１７〜１９は自動作図を行うコンピュータープログラムを作成するためのフローチャートである。
１枚の図で表せなかったので、『端子１』『端子２』を用いて表現してあるが、この３枚のフローチャートは連続している。
【０１４３】
まず、空間座標の設定を行う。なお、空間座標１を標準として用いている。
ここでの設定は、１、原点Ｏの座標設定  ２、目盛の数値、目盛数ｋ（ｋは自然数）の設定  ３、半径ｒ１,ｒ２,・・・ｒｋの設定  ４、行列（ｎ,ｍ）(ｎ,ｍは自然数）の設定  ５、点属性、線属性、領域属性の設定を行い表示する。なお、空間座標のレイヤは独立で作成するものとする。
請求項２、請求項３、請求項４、請求項５の空間座標を用いるのであれば、これに加えて、点Ｋｔｎの座標計算の仕方を指示しなければならない。
【０１４４】
そこで、空間座標２、３、４を入力するために入力データー表（図‐２０）を考案した。
【０１４５】
次に請求項２の空間座標２について説明する。
空間座標１は円柱座標を用いて数式で表すと次式となる。
【数１】
2014010727.tif 000003
【０１４６】
空間座標２は上記数式の（１）式の変化にあたる。
もし、ａの変化が一次関数であったとしよう。
（１）式の両辺を積分し、値をもとめると、数式２のようになる。
【数２】
2014010727.tif 000004
【０１４７】
つぎに、ａの変化が二次関数であった場合はもう一度両辺を積分するのである。
【数３】
2014010727.tif 000005
【０１４８】
もし、aの変化が三次関数、四次関数、・・・であれば（１）の式の両辺を三重積分、四重積分、・・・と行っていけばよいことは自明である。
【０１４９】
この運用方法を図-２０を使って説明する。
【０１５０】
図-２０の入力データー表のうち空間座標２の欄Ａ欄がこれにあたる。
ただし、変化はＰごとの変化である。
よって、これはＰごとの近似値となる。
【０１５１】
もっと詳細に近似させたい場合はＢ欄を利用してもっと細かく設定してもよいだろう。
【０１５２】
ただし、Ａ欄とＢ欄の補正が矛盾しないように注意しなければならない。
【０１５３】
次に請求項３の空間座標３について説明する。
【０１５４】
空間座標３は数式１に示した（２）の式であらわされる変化である。
ただし、空間座標２で示したようなやり方は通じない。
（２）の式の両辺を何度積分しても（２）の式のままであるからだ。
ちなみに、これ以上の微分はできない。
全く不思議としかいいようがない。
そこで、ｂの変化は任意に行えると解釈して考案したのが図-２０に示す入力データ表の空間座標３の補正欄Ａ欄およびＢ欄である。
【０１５５】
ここでもやはり、Ａ欄とＢ欄が矛盾しないように注意しなければならない。
【０１５６】
次に請求項４の空間座標４について説明する。
【０１５７】
これは、らせんの中心の軌跡Ｏｔを変化させるものである。
これは様々な直線や曲線が予想されるので、ご自分でその座標を計算して、入力してほしい。
図-２０の空間座標４設定欄Ａ欄がこれにあたる。
なお、この設定ではつるまき線のピッチＰごとの入力となっている。
よって、らせんの中心の軌跡Ｏｔの変化が曲線であった場合、Ｐごとの直線に近似される。
【０１５８】
もし、もっと詳細に近似させたいのなら、Ｂ欄を使用する。
【０１５９】
ただし、これでは行列（ｎ，ｍ）のデーター全てつまり、ｎ×ｍヶ所の中心をもとめて入力しなければならないのであまりお勧めではない。
【０１６０】
請求項５について説明する。
【０１６１】
これは、前記請求項２、前記請求項３、前記請求項４を２つあるいは３つ組み合わせて使用する方法である。
図-２０をみていただけばそれが可能であることが理解できるであろう。
【０１６２】
つぎに表示をおこない、作成者に確認してもらう。
【０１６３】
つぎに入力された空間座標のチェックを行い、ＯＫであれば次にすすみ、ＮＧであれば空間座標の設定にもどる。
【０１６４】
行列データーの入力を行う。
表計算ソフトを使用すれば、スキャンしたデーターを貼付できるので便利であろう。
【０１６５】
次に行列データーのチェックを行う。前記したようにマイナスの数値は描画できないので、もしマイナスの数値があれば原点の目盛を調整する必要がある。ＯＫであれば次にすすみ、ＮＧであれば空間座標の設定までもどる。
【０１６６】
次にレイヤ分けを行う。ここでは、特に境界領域のレイヤ分けを十分に行う必要がある。
【０１６７】
次に点Ｋｔｎの座標計算を行う。
【０１６８】
点Ｋｔｎの点属性設定を行う。また、球体などで表すのであれば、領域属性設定も必要である。
【０１６９】
表示を行う。
【０１７０】
表示された立体グラフでＯＫであればデーター保存を行い、終了する。これで、立体グラフ１が出来上がる。
ＮＯであれば次にすすむかどうかを聞いてくるので、ＹＥＳであれば端子１まですすみ、ＮＯであればレイヤ分けまでもどる。
【０１７１】
点Ｏｔｎと点Ｋｔｎを線分で結ぶ。
【０１７２】
点属性、線属性、領域属性を設定し、表示する。
【０１７３】
ＯＫであれば、データーを保存し、終了する。これで立体グラフ２が作図される。ＮＯであれば次にすすむかどうかを聞いてくるのでＹＥＳであれば次にすすみ、ＮＯであれば点属性、線属性、領域属性の設定が気にいらないのであろうから、そこまで戻る。
【０１７４】
点Ｋｔｎと点Ｋｔ（ｎ＋１）を線分で結ぶ。
【０１７５】
点属性、線属性、領域属性を設定し、表示を行う。
【０１７６】
ＯＫであればデーターを保存し、終了する。これで立体グラフ３が作図される。ＮＯであれば次にすすむかどうかを聞いてくるのでＹＥＳであれば次にすすみ、ＮＯであれば点属性、線属性、領域属性の設定までもどる。
【０１７７】
点Ｋｔ（ｎ,ｍ）と点Ｋｔ（ｎ＋１，ｍ）、点Ｋｔ（ｎ，ｍ＋１）と点Ｋｔ（ｎ＋１，ｍ＋１）を線分で結ぶ。
【０１７８】
点属性、線属性、領域属性の設定を行い、表示する。
【０１７９】
ＯＫであればデーターを保存し、終了する。これで立体グラフ４が作図される。ＮＯであれば次にすすむかどうかを聞いてくるのでＹＥＳであれば次にすすみ、ＮＯであれば点属性、線属性、領域属性の設定までもどる。
【０１８０】
扇形をもとめる。
【０１８１】
扇形に与えるａｔ、台輪の設定を行う。
【０１８２】
点属性、線属性、彩色を含む領域属性を設定し、表示する。
【０１８３】
ＯＫであればデーターを保存し、終了する。これで立体グラフ５の作図が完了する。ＮＯであれば、扇形に与える厚みａｔ、台輪の設定までもどる。
【０１８４】
請求項６の発明について説明する。
空間座標１において、縦軸を周波数にとると、音楽に使用される平均律の各音は図‐２１のようになる。
ちなみに、小生の特願２０１２−２３９８３  『楽音視覚化装置』に詳しいのでここでの説明は省略する。
つまり、音というものの形は空間座標３  図‐６‐１のような形をしているのだ。
このことはらせん軸Ｒが他の指標でも使用できることを証明している。
この立体グラフは周期をもつものに利用できるようだ。
【０１８５】
次に、色覚障がいの人にも色の変化を感じてもらいために、図‐２７のように彩色を工夫した。
【０１８６】
色覚障がいには、１型、２型、３型の３種類があるらしい。このうち、３型は正常とあまり変わらない色覚だそうだ。
問題は、１型、２型で、双方とも赤と緑が茶色に見えるとのことだ。
１型と２型のちがいは色の見え方に若干の差があるだけだそうだ。
【０１８７】
そこで、緑と黄緑を使用している部分を青のグラデーションで表現することによって目的を達成した。
【０１８８】
次は、視覚障がい者にもこの立体を理解してもらいたい。
【０１８９】
３Ｄプリンタによる立体出力し、触覚にて感じてもらいたいと考えた。
【０１９０】
まずは、全体の形を理解してもらうために高さ１１２ミリ程度の尺度で立体出力する。
【０１９１】
図‐２３、図-２４、図-１４-２のような作品では自立しないので、図‐１５に示すように扇形に与える厚みａｔをつるまき線のピッチＰとし、底面に図-１６に示す台輪を取り付けることが必要である。
【０１９２】
その操作を行うと図-２５、図-２６に示す作品となるのである。
【０１９３】
３Ｄプリンターを接続し、立体化を行う。
【０１９４】
次に詳細を触覚で感じてほしいので、高さ１１２０ミリの立体出力を行う。
【０１９５】
図‐２８のようにＪＩＳＴ０９２１ほかに規格される点字を配置すると共に凹凸模様を表面に取り付ける。凹凸模様は晴眼者の色と同じものを感じてもらうためだ。
【０１９６】
つまり、彩色の規則において、表示する温度が０℃〜５℃の濃い青の部分はそのままで、５℃〜１０℃の緑（色覚正常、３型色覚障がい者用）または青（１型、２型障がい者用）の部分には図のように３等分しその境界部分に高さ１ミリ、巾１ミリ程度の段差を設ける。また、１０℃〜１５℃までの黄緑（色覚正常、３型色覚障がい者用）またはうすい青（１型、２型障がい者用）の部分には図のように５等分し、その境界部分に高さ１ミリ、巾１ミリ程度の段差を設ける。１５℃〜２０℃、２０℃〜２５℃もそれぞれ７等分、９等分し、同様に段差を設ける。
２５℃〜３０℃部分の赤の部分は、０℃〜５℃部分より１ミリ高くする。
【０１９７】
また、この段差の線を強調するため、２ミリ程度の直径の高さ１ミリの円柱を図‐２８のように取り付ける。
【０１９８】
このことによって晴眼者の感じる色を触覚で感じてもらえると推測する。いわゆる触図の技法である。
ただし、触図の表示の技法についてはあまり文献がないので、試行錯誤で実際に使用してもらって改良の余地がある。
【０１９９】
ＪＩＳＴ０９２１ほかを読んで思ったのであるが、規格される点字の大きさの範囲は図-２９のように非常に広い。
【０２００】
これでは、実際デザイナーが点字を設計する際、どれを選んでよいのか解らない。また、文献によると高齢で失明された方は点字の習得が非常に困難であることが紹介されていた。
【０２０１】
そこで、点字の大きさをＪＩＳT０９２１ほかに規格される範囲において、変化させることによって、晴眼者の視力検査表と同じような視覚障がい者の方の触力検査器みたいなものができるのではないかと考えた。そこで考案したのが請求項７の発明で、図-３０に示されるものである。
【０２０２】
まず、ＪＩＳ規格の点字の大きさ説明を図-２９を用い、簡単に説明する。
点字は１〜６点の６点より構成される。
その点の位置は１点、２点・・・６点の順に、左上方、左中央、左下方、右上方、右中央、右下方となる。
ａ：１-２点間、２-３点間とするとその範囲は２．２ミリ≦ａ≦２．５ミリ
ｂ：１-４点間とするとその範囲は２．０ミリ≦ｂ≦２．５ミリ
ｐ：１マスの領域つまり次の点字までの距離とすると５．１ミリ≦ｐ≦６．３ミリ
ｑ：１行の領域とすると、１１ミリ≦ｑ≦１５ミリ
ｄ：底面の直径とすると、１．３ミリ≦ｄ≦１．７ミリ
ｈ：点字の高さとすると、０．３ミリ≦ｈ≦０．５ミリ
となる。
さらに、ｂとｐについては比率が定められている。
つまり、ｂとｐの関係の欄で
ｂ＝２．０ミリの場合、ｐの範囲は５．１ミリ〜６．０ミリ
ｂ＝２．１ミリの場合、ｐの範囲は５．２ミリ〜６．１ミリ
ｂ＝２．２ミリの場合、ｐの範囲は５．４ミリ〜６．２ミリ
ｂ＝２．３ミリの場合、ｐの範囲は５．６ミリ〜６．３ミリ
ｂ＝２．５ミリの場合、ｐの範囲は６．０ミリ〜６．３ミリ
となっている。
なお、これはＪＩＳＴ０９２１  高齢者・障害者配慮設計指針−点字の表示原則及び点字表示方法−公共施設・設備、ＪＩＳＴ０９２３  高齢者・障害者配慮設計指針ー点字の表示原則及び点字表示方法ー消費生活製品の操作部、ＪＩＳT９２５３  紫外線硬化樹脂インキ点字−品質及び試験方法の３規格で規定されている。なお、ここへの引用は経済産業省および財団法人  日本規格協会（一部）より、全文を書き写さないという条件で許諾されている。
【０２０３】
それでは、図‐３０を用いて点字の大きさをＪＩＳ規格の範囲内で変化させる方法を具体的に説明する。
【０２０４】
まず、点字を取り付ける位置は図‐２８のように取り付けるので、当然取り付ける位置の幅は変化する。
取り付ける位置の高さは１０ミリとする。
幅の変化は、１．６℃で８．４ミリ、２．５℃で１３．１ミリ、５．０℃で２６．２ミリ、１０．０℃で５２．４ミリ、１５．０℃で７８．５ミリ、１５．１℃で７９．１ミリ、２０．０℃で１０４．７ミリ、２５．０℃で１３０．９ミリ、３０．０℃で１５７．１ミリとなる。
【０２０５】
まず、２．５℃以下ではスペース不足のため点字の取付が不可能であるので、墨字の表示のみとする。
【０２０６】
２．５℃以上５．０℃未満では、点字のスペース不足がある場合、小数点を四捨五入した一桁の数字のみの点字表示を行う。
なお、墨字が点字と重なっているが、触図の場合、例もあるので、好ましくないが重ねている。
【０２０７】
つぎに、５．０℃以上１０．０℃未満の場合であるが、まず、ａ＝２．２ミリ、ｂ＝２．０ミリ、ｄ＝１．３ミリ、ｐ＝５．１ミリとして固定し、点字の高さｈのみ変化させる。
なお、気温をＫ（℃）とすると、ｈ（ミリ）＝０．０４×Ｋ＋０．１とする。
【０２０８】
つぎに、１０．０℃以上１５．０℃以下の場合であるが、ａ＝２．２ミリ、ｄ＝１．３ミリ、ｈ＝０．５ミリを固定し、ｂとｐを変化させるのである。
すなはち、１０．０℃以上１０．９℃以下の場合、ｂ＝２．０ミリ、ｐ＝５．１ミリで固定、１１．０℃以上１１．９℃以下の場合、ｂ＝２．１ミリ、ｐ＝５．２ミリで固定、１２．０℃以上１２．９℃以下の場合、ｂ＝２．２ミリ、ｐ＝５．４ミリで固定、１３．０℃以上１３．９℃以下の場合、ｂ＝２．３ミリ、ｐ＝５．６ミリで固定、１４．０℃以上１５．０℃以下の場合、ｂ＝２．５ミリ、ｐ＝６．０ミリで固定とするのである。
【０２０９】
つぎに、１５．１℃以上２０．０℃未満について説明する。
ａ＝２．２ミリ、ｄ＝１．３ミリ、ｈ＝０．５ミリを固定し、ｂとｐを変化させるのである。
すなはち、１５.1℃以上１５．９℃以下の場合、ｂ＝２．０ミリ、ｐ＝６．０ミリで固定、１６．０℃以上１６．９℃以下の場合、ｂ＝２．１ミリ、ｐ＝６．１ミリで固定、１７．０℃以上１７．９℃以下の場合、ｂ＝２．２ミリ、ｐ＝６．２ミリで固定、１８．０℃以上１８．９℃以下の場合、ｂ＝２．３ミリ、ｐ＝６．３ミリで固定、１９．０℃以上１９．９℃以下の場合、ｂ＝２．５ミリ、ｐ＝６．３ミリで固定とするのである。
【０２１０】
つぎに２０℃以上２５℃未満について説明する。ａ=２．２ミリ、ｂ=２．５ミリ、ｐ=６．３ミリ、ｈ=０．５ミリで固定する。
ｄのみ１．３〜１．７で変化させる。
気温がＫ（℃）であったとしたら、ｄ（ミリ）=０．０８×Ｋ-０．３となる。
【０２１１】
最後に２５℃以上３０℃以下の場合について説明する。
まず、ｂ=２．５ミリ、ｐ=６．３ミリ、ｈ=０．５ミリ、ｄ=１．７ミリを固定する。
ａを２．２ミリ〜２．５ミリまで変化させるのである。
気温をＫ（℃）とすると、ａ（ミリ）=０．０６Ｋ＋０．７となる。
【０２１２】
請求項８の発明は請求項７の発明の効果をもっと簡便に行えるようにしたものである。（図‐３１〜図‐３６）
つまり、２次元化し、Ａ４横書きのペーパーテストのようにしたものである。
文章の部分および年の表示は、その級の最大の文字で統一してある。
月の表示と温度の表示のみ先程説明した方法で点字の大きさを変化させてある。
図‐３６に示す特級では、点字の大きさの変化はなく、ＪＩＳ規格の最小値で統一してある。
なお、同じ行で点字の大きさが変わるので、２点と５点を結んだ線つまり、点字の中心線を合わせた。
また、今回は数行にわたるので、１行の領域ｑの変化が可能となる。
５級でｑ＝１５ミリ、４級でｑ＝１４ミリ、３級でｑ＝１３ミリ、２級でｑ＝１２ミリ、１級でｑ＝１１ミリとし、特級はｑ＝１１ミリとした。
【０２１３】
図‐３７に示すのは請求項８の発明の難易度の予想である。
各ファクター（ａ,ｂ,ｄ,ｈ,ｐ,ｑ)の影響度が等しい場合こうなるはずである。
もし、こうならない場合、各ファクターの影響度の割合が測定できるはずで、点字の大きさの変化の方法を再設定すれば、影響度をもっと詳しく測定できるであろう。
年齢別、失明されてからの時間別、全盲か弱視かのちがいによって、最適な点字の大きさが割り出されるのではないだろうか。
晴眼者にとっての視力検査表のようなものが出来上がった。あとは、眼鏡に相当するものが発明されればと切に願う。
【０２１４】
次に、請求項９の発明を説明する。先程、視覚障がい者のために高さ１１２ミリで立体出力した物体は、適度の凹凸をもち、また、大きさも赤子が誤飲しない適度の大きさをもつことから考案したものである。自然材料、自然塗料を用いて、煮沸消毒ができる耐熱性をもった材料で作成することが重要である。
【０２１５】
請求項１０の発明は、今までは外部より模型を視覚や触覚で感じる方法であったが、それなりに準備が必要である。また、観覧者の観たいデーターは様々であると考えられる。そこで、様々のデーターを短時間に表示できる装置および音声あるいは音で表示する装置を考案した。この透視図が図‐３８、図‐３９、図‐４０で、そのブロック図が図‐４１である。
【０２１６】
映像表示装置は正面、側面２面、天井面の合計４面がディスプレイとなっている。また、側面のディスプレイと正面のディスプレイは１０８°の角度をなしている。この角度は９０°〜１３５°までの範囲で最も適切な角度を人間工学的に割り出すことが必要であろう。
【０２１７】
次に、ディスプレイの大きさであるが、現在のところこの大きさを１枚物で作成はできないので何枚か継ぐ必要がある。
継目には現在のところ黒い線がはいるのであるが、技術的にすすめばシームレスで可能ではないだろうか。
【０２１８】
４面ディスプレイ映像表示装置を図‐４１  ブロック図を用いて説明する。
まず、記憶媒体読取装置１１が必要である。これは、後述する音で表示の温度を知らせる装置と共用してもよいだろう。
ディスプレイ制御部１２には主制御装置１２ａと記憶部１２ｂをもち、１２ａには操作スイッチを備え、１２ｂには映像の点属性、線属性、色を含む領域属性の例が記憶されている。
１２ａとモニター２１を接続し、１２ｂの例などを参考にどの画面にどのように表示するのかを設定する。２１も後述する音で表示の温度を知らせる装置と共用してもよいだろう。
つまり、この地球高温化の例では側面のディスプレイの水平方向に気温をとり、高さ方向に年をとる。正面にはデーター名と高さが年を表すことを表示する。天井面は普通は黒であるが、タッチセンサー２２よりの情報により、その年の８月と９月のデーターの気温を読み取り、変化率を黄色で示すなどの設定である。
また、２２の情報より、その年のデーターのみ別の色で表すようにしてもよいだろう。
この映像データーをディスプレイコントローラー１３に送り、ディスプレイ１４ａ〜１４ｄを発光させる。
【０２１９】
また、視覚障がい者のためにタッチセンサーをもつ音声および音にて案内する装置も考案した。
一度さわったら温度の音声案内、短時間に二度さわったら温度数に対応した音を最寄りのスピーカーに流せるようにしたら面白いと考えた。
まず、記憶媒体読取装置１１が必要である。
音表示制御部３２は各種スイッチを有する主制御装置３２ａと記憶部３２ｂで構成される。
３２ｂには音源、音声、割付例などが記憶されている。
１１で読み取った情報を３２ａにおくる。
３２ａとモニター２１を結び、音声あるいは音の割付設定を行う。
タッチセンサー２２より位置情報と、一度のタッチか短時間に二度のタッチかの情報を３２ａに送り、その情報より予め割り付けた対応する音声あるいは音を割り出す。３２ｂより音声、あるいは音を読み込みその情報をプリメインアンプ３３に送り、Ｄ／Ａ変換、増幅しスピーカー３４ａ〜３４ｊを鳴らすのである。
【０２２０】
次に請求項１０の発明が絵画の遠近法みたいに臨場感がえられるので、『氷河が崩れる様』や『南の島が沈みゆく様』を動画で再生できるのではと考えて考案したのが請求項１１の発明である。図‐４２、図‐４３を用いて説明する。
まず、動画を観賞するには、静止画と異なり、視聴距離が定められている。今回使用したメインのディスプレイ３１４ｂの大きさ１６：９  ８２型より、メーカーの公称によれば、観賞者と画面の離隔距離が３ｍ必要とされている。
もし、その離隔距離が守られないと、動画酔いをおこすとのことである。
そうすると、図‐４２の正面の白と側面及び天井面のグレー面が利用できる範囲である。
なお、現在の１６：９の画面を正面とした場合である。
その面を全て画面として利用しようというのが請求項１１の発明である。
なお、見え方は図‐４３の正面の白と側面及び天井面のグレー面のようになる。
配置されているソファの中央部の背面より、もっとも条件の悪い画面の位置で２，９５０ミリの距離となる。
少々３ｍを切るが画面の端を長時間凝視することもないであろうから良しとした。
気になるようであれば、少しソファを後ろに移動させればよい。
また、メインのディスプレイのサイズを小さくすれば、視聴距離も短くなるので、小型化が可能である。
【０２２１】
請求項１１の発明は、請求項１０の発明によらず、単独でも利用可能である。
つまり、動画の画面として使用する部分のみディスプレイとすればいいからだ。
これは、ホームシアターとして利用できる。また、カラオケ店などに設置すればおもしろいであろう。
【０２２２】
請求項１２は前記請求項１１に入力するための録画と録音装置である。
図‐４４、図‐４５に示す。
この録画・録音装置は４つのオートフォーカスとオート絞りの機能がついたカメラレンズ１１２ａ〜１１２ｄと８つのマイク１２２ａ〜１２２ｈと４面のモニター１１３ａ〜１１３ｄを備える。
形状は請求項１１の画面構成形状の相似形である。
また、微調整や映像効果のためレンズとモニターは丁番４３により角度が変えられる。
【０２２３】
請求項１１、請求項１２の発明を図‐４６、図‐４７、図‐４８のブロック図を用いて説明する。
【０２２４】
請求項１１の発明は映像調整部２１０と映像再生部３１０と音声調整部２２０と音声再生部３２０からなる。なお、２１０と２２０は外部で行う場合がほとんどであり、自分で請求項１２の録画・録音装置を所有する場合のみ２１０と２２０が必要となる。
【０２２５】
まず、映像調整部２１０を説明する。
映像調整主制御部２１２は映像調整主制御装置２１２ａと記憶部２１２ｂを有する。２１２ｂにはカウンター機能（日時）、撮影域の重なり処理のソフトウエア、レンズ球面収差補正のソフトウエア、色収差補正のソフトウエアを記憶している。２１２ａと２１４を結んで予め標準的な調整を設定しておく。０１記憶媒体１のデーターを２１１記憶媒体読込装置で読込み、２１２ａに送り、２１２ａは２１２ｂより各種ソフトウエアを呼び出し、映像調整を行い、その調整が済んだ映像データーを２１３ａ〜ｄモニター１〜４に映し出す。
なお、場面、場面で調整が異なる場合があるので、モニター２１４にて映像データーの全体のグラフなどを示し、細かく設定できるようにする。
調整が完了したら記憶媒体書込装置２１５にデーターを送り、０２記憶媒体２として出力を行う。
【０２２６】
次に映像再生部３１０について説明する。（図‐４７）
０２記憶媒体２を３１１記憶媒体読取装置にて読み取り、映像再生主制御部３１２に送る。３１２には映像再生主制御装置３１２ａと記憶部３１２ｂを有し、３１２ｂには色覚障害用色変換や個人の好みの調整例が記憶されている。必要であれば、３１２ｂより３１２ａに情報を送り、調整を行う。調整後あるいは調整が必要ない場合はディスプレイコントローラー３１３に映像データーをおくり、ディスプレイ３１４ａ〜３１４ｄにて表示を行う。なお、３１２ａにはスイッチ機能と各種調整つまみを有している。
【０２２７】
次に音響調整部２２０を説明する。
なお、音響調整は外部で行われる場合もある。
まず、０１記憶媒体１を読み込む記憶媒体読込装置２２１が必要である。
音響調整主制御部２２２には音響調整主制御装置２２２ａと記憶部２２２ｂを有し、２２２ｂにはカウンター機能（日時）、標準的な調整例が記憶されている。
調整を行う人は２２２ａと２２３モニターを使って、２２２ｂの標準的な調整例を呼び出して設定する。
０１記憶媒体１を２２１にて読み込み、２２２に送る。２２２ａは予め設定された調整方法にて調整する。
２２２ａは調整した音のデーターを２２４に送る。
プリメインアンプ２２４にてＤ／Ａ変換を行い、増幅し、スピーカー２２５ａ〜２２５ｈに送り、音を出す。
不具合があれば２２２ａにて設定をし直す。
なお、場面、場面によって設定が異なる場合もあるので、モニター２２３に音声の記録のグラフを表し、時間ごとの調整ができるようにする。
調整が終了すれば、２２２から記憶媒体書込装置２２６にデーターを送り、０２記憶媒体０２に記録する。
なお、２２２ａには操作スイッチ、各種調整つまみを有する。
【０２２８】
最後に音響再生部３２０について説明する。
まず、０２記憶媒体２を読み込む記憶媒体読込装置３２１が必要である。
音響再生主制御部３２２には音響再生主制御装置３２２ａと記憶部３２２ｂを有し、３２２ｂには個人の好みの調整例が記憶されている。
音響再生をする人はこの記憶部の例を参考にして、３２２ａで音響再生の設定を行う。
不具合があれば、３２２ａで手動で設定をし直す。
設定がよければ音声データーを３２２からプリメインアンプ３２３に送り、Ｄ／Ａ変換、増幅をおこないスピーカー３２４ａ〜３２４ｈで音を出す。なお、３２２ａは、操作スイッチ、各種調整つまみを有する。
【０２２９】
請求項１２の発明を図‐４６、図‐４７ブロック図を用いて説明する。
【０２３０】
請求項１２の発明は、映像撮影部１１０と録音部１２０から構成される。
【０２３１】
まず、映像撮影部１１０について説明する。
撮影主制御部１１１には撮影主制御装置１１１ａと記憶部１１１ｂを有し、１１１ｂにはカウンター機能（日時）、過去の撮影対象別最良撮影方法を記憶している。
この１１１ａにより撮影設定を行い、各カメラに指示を行う。
カメラ１１２ａ〜１１２ｄはそれぞれオートフォーカス、オート絞り機能を有し、その映像を１１１ａに送り、１１１ａにて設定にされた映像データーをモニター１１３ａ〜１１３ｄに送り映像を映し出す。
撮影者は１１３ａ〜１１３ｄの画像をチェックし、不具合があれば、１１２a〜１１２ｄにて手動あるいは１１１ａにて再設定する。
１１１ａに組み込まれた録画開始ボタンを押すことによって記憶媒体書込装置１１４ａによって０１記憶媒体１にデーターが書き込まれる。
書き込まれたデーターでよいかどうかをチェックするために記憶媒体読取装置１１４ｂを設け、１１１ａに送り、１１３ａ〜１１３ｄに映像を映し出し、確認を行う。なお、１１１ａには操作スイッチ、各種調整つまみを有する。
【０２３２】
次に録音部１２０について説明する。
録音主制御部１２１には録音主制御装置１２１ａと記憶部１１２ｂを有し、１１２ｂにはカウンター機能（日時）、過去の録音設定例が記憶されている。
撮影者は、記憶部の例などを参照して、１２１ａにて録音設定を行う。
マイク１２２ａ〜１２２ｈによる録音を１２１ａに送り、ステレオ形イヤホン１２３にて撮影者はチェックを行う。
不都合があれば、１１２ａにて録音設定を変更する。
１１２ａに組み込まれた撮影録画開始ボタンの押しと同時に音声のデーターを１２１ａにてＡ／Ｄ変換し、記憶媒体書込装置１２４ａにおくり、０１記憶媒体１に音声をデジタル録音する。
なお、０１記憶媒体０１に書き込まれた音声でよいかどうかを確認するために、記憶媒体読込装置１２４ｂを設け、その音声データーを１２１ａに送り、Ｄ／Ａ変換し、１２３に送り音声を確認できる。
なお、１２１ａには、操作スイッチ及び各種調整つまみを有している。
【０２３３】
請求項１３の発明は、請求項１２の発明にレベルアジャスト機能を付加したものである。
図‐４５に示す気泡管４１と図‐４９の３点ねじ式レベルアジャスト装置４２により録画・録音装置の水平をアジャストするものである。
【０２３４】
請求項１４の発明は、請求項１１の発明を家屋他に設置した場合、請求項１１の発明の形状が異形をしているため、直方体がほとんどである家屋他のスペースにデッドスペースを生じることになる。この欠点を解消するために、そのデッドスペースを収納やニッチとして使用する方法である。図‐５０はディスプレイの設置してある面と反対側からの取り出しとする収納の例である。この例が一番効率がいいのであるが、それが不可能である場合はディスプレイの設置してある面からの取り出しとする収納も可能である。
【０２３５】
ここで特記しておくが、請求項１０の発明と、請求項１１の発明は、建築物の屋内に設置する際は必ず管轄の建築指導課および所轄の消防署予防課に事前に協議に行って指導を仰いで欲しい。何故なら、建築基準法、消防法において、設置場所によっては違法となる恐れがあるからだ。例えば現存する開口を塞いでしまったり、避難通路や消防設備を妨げてはいけない。指導を受けたら必ずその指導に従って設置してもらいたい。
【０２３６】
なお、請求項１０、請求項１１の発明はユニバーサルデザインを謳いながら、聴覚障がいの方への配慮がないのではないかとのそしりがあるが、その場合小生の発明である特願２０１２‐２３９８３『楽音視覚化装置』が大いに効力を発揮するのである。
【０２３７】
以上、本発明の実施形態を図面に基づいて詳細に説明したが、これらはあくまで例示であり、当業者の知識に基づいて種々の変形、改良を施した他の形態で本発明を実施することが可能である。
【実施例】
【０２３８】
この発明はコンピューター上での作図を手作業で完了している。
【０２３９】
図-５１〜６２までは、１９１１〜２０１１  東京月別平均気温を示す。
【０２４０】
皆さんはこれを見て、どのように感じられたであろうか。
各月ともやはり、例外なく高温化している。
【０２４１】
ただし、これが地球高温化による現象だけではないことは確かである。
小生が居住する熊本市の１９１１〜２０１１  月別平均気温を同様な方法で作図すると、東京のように顕著化していない。
せいぜい１〜２℃しか上昇していないのである。
もしかするとこれは、ヒートアイランド現象をとらえているのかもしれない。
【０２４２】
東京の場合、冬季のほうが夏季に比べて顕著化しているようだ。
やはり、植物の活動が鈍るからこうなるのではないだろうか。
【０２４３】
とすれば、二酸化炭素の濃度が高温化をもたらしているのは間違いないと理解できる。
【０２４４】
やはり、地球高温化現象にしろ、ヒートアイランド現象にしろ省エネ、植物の絶対量をふやすことは人類にとって必要不可欠のことではないだろうか。
【０２４５】
最後に、立体出力する必要性のことであるが、まず、コンピューター上では水平、垂直感が乏しいのである。
実施の形態で述べたように、将来を予測することにも使用できる。
立体出力は、視覚障がいの方たちのためだけではないことをここに強調しておく。
【０２４６】
なお、小生は３Ｄプリンターを使用したことがないので、３Ｄプリンターの解像度がどうであるか解らない。もし、解像度が不足するのであれば、従来の建築模型のような手法で立体出力を行いたい。
【産業上の利用可能性】
【０２４７】
この発明は、らせん軸をもつもので、そのらせん軸を用いるのは周期がある指標軸に利用できる。
今のところ、時間軸、平均律ぐらいしか思い浮かばないが、他にも利用できるであろう。
【０２４８】
らせん軸の時間軸の利用の可能性については、例えば、スマートメーターの出力グラフをこの発明を用いれば実感が増すであろう。
その他、株価などの経済指標、政治の世界では日本国の借金問題などでも利用できるのではないかと思われる。
【符号の説明】
【０２４９】
Ｏｔ：らせんの中心の軌跡
【０２５０】
Ｒ：らせん軸
【０２５１】
ｒ：らせんおよび円の半径  ｒ＞０の実数
【０２５２】
Ｏ：原点
【０２５３】
Ｐ：つるまき線のピッチ つるまき線の１周の始点と終点の距離
【０２５４】
Ａ軸→：Ａ軸の正方向
【０２５５】
Ｔ：時間軸
【０２５６】
ｔｎ：時間軸Ｔ上の点  ｎは自然数
【０２５７】
ｔ（ｎ＋１）：ｔｎの次の点  ｎは自然数
【０２５８】
ｔ（ｎ＋２）：ｔ（ｎ＋１）の次の点  ｎは自然数  
【０２５９】
ｔ（ｎ＋３）：ｔ（ｎ＋２）の次の点  ｎは自然数
【０２６０】
Ｏｔｎ：ｔｎ時のらせんの中心  ｎは自然数
【０２６１】
Ｏｔ（ｎ＋１）：ｔ（ｎ＋１）時のらせんの中心  ｎは自然数
【０２６２】
Ｏｔ（ｎ＋２）：ｔ（ｎ＋２）時のらせんの中心  ｎは自然数
【０２６３】
Ｏｔ（ｎ＋３）：ｔ（ｎ＋３）時のらせんの中心  ｎは自然数
【０２６４】
ｘｔｎ：ｔｎ時の観測値  ｎは自然数
【０２６５】
ｘｔ（ｎ＋１）：ｔ（ｎ＋１）時の観測値  ｎは自然数
【０２６６】
ｘｔ（ｎ＋２）：ｔ（ｎ＋２）時の観測値  ｎは自然数
【０２６７】
ｘｔ（ｎ＋３）：ｔ（ｎ＋３）時の観測値  ｎは自然数
【０２６８】
Ｋｔｎ：ｔｎ時の結果  ｎは自然数
【０２６９】
Ｋｔ（ｎ＋１）：ｔ（ｎ＋１）時の結果  ｎは自然数
【０２７０】
Ｋｔ（ｎ＋２）：ｔ（ｎ＋２）時の結果  ｎは自然数
【０２７１】
Ｋｔ（ｎ＋３）：ｔ（ｎ＋３）時の結果  ｎは自然数
【０２７２】
ｔ（ｎ,ｍ)：つるまき線の１周を１周期とし、ｎ周目ｍ番目の時  ｎ,ｍは自然数
【０２７３】
ｔ（ｎ,ｍ＋１）：つるまき線の１周を１周期とし、ｎ周目（ｍ＋１）番目の時  ｎ,ｍは自然数
【０２７４】
ｔ（ｎ＋１,ｍ）：つるまき線の１周を１周期とし、（ｎ＋１）周目ｍ番目の時  ｎ,ｍは自然数
【０２７５】
ｔ（ｎ＋１,ｍ＋１）：つるまき線の１周を１周期とし、（ｎ＋１）周目（ｍ＋１）番目の時  ｎ,ｍは自然数
【０２７６】
Ｏｔ（ｎ，ｍ）：ｔ（ｎ,ｍ)時のらせんの中心  ｎ,ｍは自然数
【０２７７】
Ｏｔ（ｎ,ｍ＋１）：ｔ（ｎ,ｍ＋１）時のらせんの中心  ｎ,ｍは自然数
【０２７８】
Ｏｔ（ｎ＋１,ｍ）：ｔ（ｎ＋１,ｍ）時のらせんの中心  ｎ,ｍは自然数
【０２７９】
Ｏｔ（ｎ＋１,ｍ＋１）：ｔ（ｎ＋１,ｍ＋１）時のらせんの中心  ｎ,ｍは自然数
【０２８０】
ｘｔ（ｎ,ｍ）：ｔ（ｎ,ｍ）時の観測値  ｎ,ｍは自然数
【０２８１】
ｘｔ（ｎ,ｍ＋１）：ｔ（ｎ,ｍ＋１）時の観測値  ｎ,ｍは自然数
【０２８２】
ｘｔ（ｎ＋１,ｍ）：ｔ（ｎ＋１,ｍ）時の観測値  ｎ,ｍは自然数
【０２８３】
ｘｔ（ｎ＋１,ｍ＋１)：ｔ（ｎ＋１,ｍ＋１)時の観測値  ｎ,ｍは自然数
【０２８４】
ｘ｛ｔｎ・ｔ（ｎ＋１）｝：時間｛ｔｎ・ｔ（ｎ＋１）｝間の観測値の平均値  ｎは自然数
【０２８５】
ａｔ：扇形に与える厚み  Ｐ≧ａｔ≧０の実数
【０２８６】
α：∠｛ｔ（ｎ+1）・原点Ｏ・ｔｎ｝の水平投影角
【０２８７】
Ａ１：図１０において、ｔｎから鉛直線を引き、中心が線分｛Ｏｔｎ・Ｏｔ（ｎ＋１）｝の中点、半径ｘ｛ｔｎ・ｔ（ｎ＋１）｝の円の面と交差する点
【０２８８】
Ａ２：半直線（Ｏｔｎ・Ａ１）と、線分｛Ｏｔｎ・Ｏｔ（ｎ＋１）｝の中点を中心とした、半径ｘ｛ｔｎ・ｔ(ｎ＋１)｝の円周とが交差する点
【０２８９】
Ｂ１：図１０において、ｔ（ｎ＋１）から鉛直線を引き、中心が線分｛Ｏｔｎ・Ｏｔ（ｎ＋１）｝の中点、半径ｘ｛ｔｎ・ｔ（ｎ＋１）｝の円の面と交差する点
【０２９０】
Ｂ２：半直線｛Ｏｔ（ｎ＋１）・Ｂ１｝と、線分｛Ｏｔｎ・Ｏｔ（ｎ＋１）｝の中点を中心とした、半径ｘ｛ｔｎ・ｔ（ｎ＋１）｝の円周とが交差する点
【０２９１】
１点：点字（６点式）の左上方点
【０２９２】
２点：点字（６点式）の左中央点
【０２９３】
３点：点字（６点式）の左下方点
【０２９４】
４点：点字（６点式）の右上方点
【０２９５】
５点：点字（６点式）の右中央点
【０２９６】
６点：点字（６点式）の右下方点
【０２９７】
ａ：点字の１−２点間、２−３点間
【０２９８】
ｂ：点字の１−４点間
【０２９９】
ｐ：点字の１マスの領域
【０３００】
ｑ：点字の１行の領域
【０３０１】
ｄ：点字の底面の直径
【０３０２】
ｈ：点字の高さ
【０３０３】
Ｋ：気温  （℃）
【０３０４】
１１：記憶媒体読込装置（４面ディスプレイ表示装置と音で表示の温度を知らせる装置の共通部品）
【０３０５】
１２：ディスプレイ制御部
【０３０６】
１２ａ:ディスプレイ主制御装置
【０３０７】
１２ｂ：記憶部
【０３０８】
１３：ディスプレイコントローラー
【０３０９】
１４ａ〜１４ｄ:ディスプレイ
【０３１０】
２１：モニター（４面ディスプレイ表示装置と音で表示の温度を知らせる装置の共通部品）
【０３１１】
２２：タッチセンサー（４面ディスプレイ表示装置と音で表示の温度を知らせる装置の共通部品）
【０３１２】
３２：音表示制御部
【０３１３】
３２ａ:音表示主制御装置
【０３１４】
３２ｂ：音表示制御部記憶部
【０３１５】
３３：プリメインアンプ
【０３１６】
３４ａ〜３４ｊ：スピーカー
【０３１７】
１１０：映像撮影部
【０３１８】
１１１：映像撮影主制御部
【０３１９】
１１１ａ：映像撮影主制御装置
【０３２０】
１１１ｂ：記憶部
【０３２１】
１１２ａ〜１１２ｄ：カメラ
【０３２２】
１１３ａ〜１１３ｄ：モニター
【０３２３】
１１４ａ：記憶媒体書込装置
【０３２４】
１１４ｂ：記憶媒体読込装置
【０３２５】
０１：記憶媒体１
【０３２６】
２１０：映像調整部
【０３２７】
２１１：記憶媒体読込装置
【０３２８】
２１２：映像調整主制御部
【０３２９】
２１２ａ：映像調整主制御装置
【０３３０】
２１２ｂ：記憶部
【０３３１】
２１３ａ〜２１３ｄ：モニター
【０３３２】
２１４：制御用モニター
【０３３３】
２１５：記憶媒体書込装置
【０３３４】
０２：記憶媒体２
【０３３５】
３１０：映像再生部
【０３３６】
３１１：記憶媒体読込装置
【０３３７】
３１２：映像再生主制御部
【０３３８】
３１２ａ：映像再生主制御装置
【０３３９】
３１２ｂ：記憶部
【０３４０】
３１３：ディスプレイコントローラー
【０３４１】
３１４ａ〜３１４ｄ：ディスプレイ
【０３４２】
１２０：録音部
【０３４３】
１２１：録音主制御部
【０３４４】
１２１ａ：録音主制御装置
【０３４５】
１２１ｂ：記憶部
【０３４６】
１２２ａ〜１２２ｈ：マイク
【０３４７】
１２３：ステレオ形イアホン
【０３４８】
１２４ａ：記憶媒体書込装置
【０３４９】
１２４ｂ：記憶媒体読取装置
【０３５０】
２２０：音響調整部
【０３５１】
２２１：記憶媒体読込装置
【０３５２】
２２２：音響調整主装置部
【０３５３】
２２２ａ：音響調整主制御装置
【０３５４】
２２２ｂ：記憶部
【０３５５】
２２３：制御用モニター
【０３５６】
２２４：プリメインアンプ
【０３５７】
２２５ａ〜２２５ｈ：スピーカー
【０３５８】
２２６：記憶媒体書込装置
【０３５９】
３２０：音響再生部
【０３６０】
３２１：記憶媒体読込装置
【０３６１】
３２２：音響再生主制御部
【０３６２】
３２２ａ：音響再生主制御装置
【０３６３】
３２２ｂ：記憶部
【０３６４】
３２３：プリメインアンプ
【０３６５】
３２４ａ〜３２４ｈ：スピーカー
【０３６６】
４１：気泡管
【０３６７】
４２：三点ねじ式レベルアジャスト装置
【０３６８】
４３：丁番
【図１】
2014010727.tif 000006
【図２】
2014010727.tif 000007
【図３】
2014010727.tif 000008
【図４】
2014010727.tif 000009
【図５】
2014010727.tif 000010
【図６】
2014010727.tif 000011
【図７】
2014010727.tif 000012
【図８】
2014010727.tif 000013
【図９】
2014010727.tif 000014
【図１０】
2014010727.tif 000015
【図１１】
2014010727.tif 000016
【図１２】
2014010727.tif 000017
【図１３】
2014010727.tif 000018
【図１４】
2014010727.tif 000019
【図１５】
2014010727.tif 000020
【図１６】
2014010727.tif 000021
【図１７】
2014010727.tif 000022
【図１８】
2014010727.tif 000023
【図１９】
2014010727.tif 000024
【図２０】
2014010727.tif 000025
【図２１】
2014010727.tif 000026
【図２２】
2014010727.tif 000027
【図２３】
2014010727.tif 000028
【図２４】
2014010727.tif 000029
【図２５】
2014010727.tif 000030
【図２６】
2014010727.tif 000031
【図２７】
2014010727.tif 000032
【図２８】
2014010727.tif 000033
【図２９】
2014010727.tif 000034
【図３０】
2014010727.tif 000035
【図３１】
2014010727.tif 000036
【図３２】
2014010727.tif 000037
【図３３】
2014010727.tif 000038
【図３４】
2014010727.tif 000039
【図３５】
2014010727.tif 000040
【図３６】
2014010727.tif 000041
【図３７】
2014010727.tif 000042
【図３８】
2014010727.tif 000043
【図３９】
2014010727.tif 000044
【図４０】
2014010727.tif 000045
【図４１】
2014010727.tif 000046
【図４２】
2014010727.tif 000047
【図４３】
2014010727.tif 000048
【図４４】
2014010727.tif 000049
【図４５】
2014010727.tif 000050
【図４６】
2014010727.tif 000051
【図４７】
2014010727.tif 000052
【図４８】
2014010727.tif 000053
【図４９】
2014010727.tif 000054
【図５０】
2014010727.tif 000055
【図５１】
2014010727.tif 000056
【図５２】
2014010727.tif 000057
【図５３】
2014010727.tif 000058
【図５４】
2014010727.tif 000059
【図５５】
2014010727.tif 000060
【図５６】
2014010727.tif 000061
【図５７】
2014010727.tif 000062
【図５８】
2014010727.tif 000063
【図５９】
2014010727.tif 000064
【図６０】
2014010727.tif 000065
【図６１】
2014010727.tif 000066
【図６２】
2014010727.tif 000067